(57)【要約】【課題】導電パターン上をブラシが摺動することで位相を検知する機構において、導通不良やチャタリングの発生を防止する構成を提供すること。【解決手段】撮影者が操作するための操作部（１０８）と、先端の断面形状が略半円形状であるブラシ（１１６）と、グランドパターン（１２０ａ）と少なくとも１つの信号パターンからなる複数の導電パターン（１２０）とが、前記操作部（１０８）の操作により摺動して、前記導電パターン（１２０）と前記ブラシ（１１６）との、接触および非接触状態の切り替わりを検知することで、操作の検出を行う位相検知機構において、前記導電パターン（１２０）同士の間に隙間（Ｄ）が設けられ、前記隙間（Ｄ）の領域に、ブラシ（１１６）の移動方向における前記突起部（１３０）の断面形状が略半円形状であり、且つ、前記導電パターン（１２０）の表面高さよりも大きい突起部（１３０）が設けられ、前記導電パターン（１２０）と前記突起部（１３０）の間に隙間（ｄ）が設けられていることを特徴とする。【選択図】図１
2017117545.tif 000002
【特許請求の範囲】
【請求項１】
撮影者が操作するための操作部（１０８）と、先端の断面形状が半円形状であるブラシ（１１６）と、グランドパターン（１２０ａ）と少なくとも１つの信号パターンからなる複数の導電パターン（１２０）とが、前記操作部（１０８）の操作により摺動して、前記導電パターン（１２０）と前記ブラシ（１１６）との、接触および非接触状態の切り替わりを検知することで、操作の検出を行う位相検知機構において、前記導電パターン（１２０）同士の間に隙間（Ｄ）が設けられ、前記隙間（Ｄ）の領域に、ブラシ（１１６）の移動方向における前記突起部（１３０）の断面形状が半円形状であり、且つ、前記導電パターン（１２０）の表面高さよりも大きい突起部（１３０）が設けられ、前記導電パターン（１２０）と前記突起部（１３０）の間に隙間（ｄ）が設けられていることを特徴とする位相検知機構。
【請求項２】
前記導電パターン（１２０）は、上面外装カバー（１１３）に一体的に形成された筺体配線であることを特徴とする請求項１に記載の位相検知機構。
【請求項３】
前記ブラシ（１１６）先端の半円形状の直径は、前記隙間（Ｄ）よりも小さいことを特徴とする請求項１に記載の位相検知機構。
【請求項４】
撮影者が操作するための操作部（１０８）と、先端の断面形状が半円形状であるブラシ（１１６）と、グランドパターン（１２０ａ）と少なくとも１つの信号パターンからなる複数の導電パターン（１２０）とが、前記操作部（１０８）の操作により摺動して、前記導電パターン（１２０）と前記ブラシ（１１６）との、接触および非接触状態の切り替わりを検知することで、操作の検出を行う位相検知機構において、前記導電パターン（１２０）同士の間に隙間（Ｄ）が設けられ、前記隙間（Ｄ）の領域に、ブラシ（１１６）の移動方向における前記突起部（１３０）の断面形状が半円形状であり、且つ、前記導電パターン（１２０）の表面高さよりも大きい突起部（１３０）が設けられ、前記導電パターン（１２０）と前記突起部（１３０）の間に隙間（ｄ）が設けられ、前記導電パターン（１２０）と前記突起部（１３０）との間の隙間（ｄ）の領域が凹形状であることを特徴とする位相検知機構。
【請求項５】
前記凹形状の深さ（Ｔ）は、前記導電パターン（１３０）の厚み（ｔ）よりも大きいことを特徴とする請求項４に記載の位相検知機構。
【請求項６】
前記導電パターン（１２０）の一側面が、前記凹形状の一側面を形成することを特徴とする請求項５に記載の位相検知機構。
【発明の詳細な説明】
【技術分野】
【０００１】
本発明は、位相検知機構に関し、特に位相接片の回転によりダイヤルの位相を検知する機構に関する。
【背景技術】
【０００２】
デジタルカメラ等の電子機器には、ダイヤルの回転操作により位相接片を回転させて、位相接片のブラシ接点部と、基板上の導電パターンを摺動させるように構成された電子ダイヤルが備えられているものがある。
【０００３】
このような構成のダイヤルでは、ブラシ接点部と導電パターンの間に、ゴミや、摺動により発生した摩耗粉が挟まると、導通不良や、あるいは接触の不安定によって導通状態が安定しないチャタリングが生じてしまう事がある。その結果、電気信号が異常になり、ダイヤルの回転操作を正確に検知できなくなる可能性があった。
【０００４】
これに対し、特許文献１には、接点ブラシが基板上の移動路に沿って摺動し、移動路の端部にある固定接点に接触して位置検出を行う位置検出装置において、移動路に接点部の形状に対応した形の凹部を形成して摩耗粉を除去する技術が開示されている。
【先行技術文献】
【特許文献】
【０００５】
【特許文献１】特開平７−２９４４５号公報
【発明の概要】
【発明が解決しようとする課題】
【０００６】
しかしながら、上述の特許文献１に開示された従来技術では、ブラシの接点部に対応した凹部形状のため、ブラシに付着した摩耗粉の量が多い場合には、凹部の容積を超えてしまい、摩耗粉を除去する効果が薄れてしまう。
【０００７】
そこで、本発明の目的は、導電パターンやブラシの摩耗粉の量が多い場合においても、信号検知不良を起こしにくい位相検知機構を提供することでにある。
【課題を解決するための手段】
【０００８】
上記の目的を達成するために、本発明に係る位相検知機構は、
撮影者が操作するための操作部（１０８）と、先端の断面形状が略半円形状であるブラシ（１１６）と、グランドパターン（１２０ａ）と少なくとも１つの信号パターンからなる複数の導電パターン（１２０）とが、前記操作部（１０８）の操作により摺動して、前記導電パターン（１２０）と前記ブラシ（１１６）との、接触および非接触状態の切り替わりを検知することで、操作の検出を行う位相検知機構において、前記導電パターン（１２０）同士の間に隙間（Ｄ）が設けられ、前記隙間（Ｄ）の領域に、ブラシ（１１６）の移動方向における前記突起部（１３０）の断面形状が略半円形状であり、且つ、前記導電パターン（１２０）の表面高さよりも大きい突起部（１３０）が設けられ、前記導電パターン（１２０）と前記突起部（１３０）の間に隙間（ｄ）が設けられていることを特徴とする。
【発明の効果】
【０００９】
本発明に係る位相検知機構によれば、ブラシ接点部における導電パターンの摩耗粉や、ブラシに付着した摩耗粉による信号検知不良の発生を防止することができる。
【図面の簡単な説明】
【００１０】
【図１】本発明における位相検知方法を示した図
【図２】本発明を適用したデジタル一眼レフカメラの外観斜視図
【図３】本実施例におけるデジタル一眼レフカメラのブロック図
【図４】上面外装カバーユニットの分解斜視図
【図５】上面外装カバーの導電パターン部を示した図
【図６】本発明における凸形状の別の実施例を示した図
【図７】本発明における位相検知機構の別の実施例を示した図
【発明を実施するための形態】
【００１１】
以下に、本発明の好ましい実施の形態を、添付の図面に基づいて詳細に説明する。
【００１２】
図２は本発明を適用したデジタル一眼レフカメラの外観斜視図である。図３は本実施例におけるデジタル一眼レフカメラのブロック図である。
【００１３】
カメラ本体１００の上面外装カバーユニット１０１に設けられた主電源スイッチ１０７がＯＮ位置へ操作されると、カメラマイコン１０は所定のシーケンスによりカメラを起動する。通常、電源がＯＦＦの状態では閃光ユニット１０３は収納位置に保持されている。カメラ本体１００の上方にファインダ接眼窓１１２の他、カメラの撮影前情報や設定内容、また、撮影した画像などを表示可能な表示装置１１０が設けられている。カメラ本体１００には、撮影画像を記録するＣｏｍｐａｃｔＦｌａｓｈ（ＣＦ）カードやＳＤカードなどの外部メモリーを格納する収納部１１３が備えられている。
【００１４】
カメラマイコン１０は操作検出回路１２により操作部材の操作を検出すると、対応する設定を行う。撮影モードダイヤル１０８は本発明の請求項に記載の操作部１０８に相当する。例えば、撮影モードダイヤル１０８が操作され撮影モードが選択されると、選択された撮影モードに対応したシャッタースピードと絞りとの組み合わせを決定するプログラム線図を設定する。また電子ダイヤル１０５が操作されると、露出補正などの設定を行う。ＩＳＯ感度設定ボタン１０６が操作されると、ＩＳＯ感度条件を設定する。
【００１５】
撮影モードダイヤル１０８で自動設定モードが選択された場合における、一連の撮影動作を述べる。操作検出回路１２によりレリーズボタン１０４が第一の位置まで押し込まれたことが検知されると、カメラマイコン１０は撮影条件制御回路１３を駆動する。そして、適切なシャッタースピードと絞り値を決定するために、ファインダ１１２の近辺に設けられた不図示の測光センサーにより被写体光を測光する。得られた測光結果から被写体光が所定の輝度よりも低いと判断されると、カメラマイコン１０はモーター制御回路１４を駆動し、閃光ユニット１０３を発光位置まで移動させるべく不図示のモーターを駆動し、回転運動により所定の位置まで移動する。
【００１６】
操作検出回路１２によりレリーズボタン１０４が第二の位置まで押し込まれたことが検知されると、不図示の撮像素子に被写体光が到達するように、カメラマイコン１０はモーター制御回路１４を駆動する。そして、ミラーユニットを所定の位置に退避させ、不図示のシャッターを開放し、閃光制御回路１１を駆動し、所定のタイミングで発光させ被写体に適切な光を照射させる。
【００１７】
発光後、カメラマイコン１０はモーター制御回路１４を駆動し、所定の時間でシャッターを遮光状態とする。撮像素子に被写体光が到達した状態でカメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００１８】
カメラマイコン１０は記録処理回路１７を駆動することで、得られた撮影画像データを不図示のメモリーに記録する。撮影者が不図示の画像再生ボタンを操作すると、カメラマイコン１０は再生処理回路１８を駆動し、カメラ背面側に設けられた表示装置１１０に、メモリーに保存されている撮影画像を表示させる。
【実施例１】
【００１９】
図４は本発明を適用したデジタル一眼レフカメラにおける、上面外装カバーユニット１０１の、特にモードダイヤルユニット１０８の分解斜視図である。
【００２０】
上面外装カバー１１３に対して、主電源スイッチ１０７が固定され、電源のオンおよびオフに切り換える際には、バネ部材１１４により撮影者にクリック感を与える。撮影モードの切り換えは、モードダイヤル１１８の回転により行われるが、不用意な操作によって意図せず撮影モードが切り替わることを防止するため、モードダイヤル１１８にはロックプレート１１５が設けられている。ロックプレート１１５は、通常、上面外装カバー１１３に固定されており、モードダイヤル１１８の回転をロックしているが、ロック解除ボタン１１９を押すことにより、上面外装カバー１１３からの固定が解除され、同時に撮影モードのロックも解除される。これにより、撮影者は撮影モードの切り換えを行うことができる。
【００２１】
図５（ａ）は上面外装カバー１１３を内側から見た図であり、本発明における構成では、撮影モードの切り換えを電気的な信号として検知するための導電パターン１２０と、後述する突起部１３０は、上面外装カバー１１３の内側に一体的に形成されている。図５（ｂ）は導電パターン部１２０と突起部１３０を形成している領域Ａの詳細を説明するための拡大図である。
【００２２】
導電パターン１２０は、各導電パターン１２０ａ〜１２０ｇからなり、上面外装カバー１１３の表面に対してめっき等の金属膜で回路（電極）を形成する、いわゆる筺体配線である。
【００２３】
１２０ａはグランドパターンであり、ブラシ１１６の一部が常に接している状態にある。グランドパターン１２０ａ以外の各導電パターン１２０ｂ〜１２０ｇは、本発明の請求項に記載の信号パターンに相当する。１２０ｂ〜１２０ｇは、各撮影モードに対応した撮影モードパターンであり、グランドパターン１２０ａに接しているブラシ１１６が、撮影モードパターンに接する、つまり、グランドに落ちたことをカメラマイコン１０により電気的に検知することにより、どの撮影モードが選択されているかの認識を行う。このような検知機構は既知の技術であるため、詳しい説明は省略する。
【００２４】
１２０ａ〜１２０ｈの各導電パターンの間には、上面外装カバー１１３の一部として、各導電パターンよりも高さの大きい突起部１３０ａ〜１３０ｌが設けられている。その一例として、図１（ａ）および（ｂ）に示すように、導電パターン１２０ａと１２０ｂとの間に突起部１３０ｃがあり、ブラシ１１６は、導電パターン１２０ａから突起部１３０ｃを乗り越えて導電パターン１２０ｂに移動する。このとき、ブラシ１１６が突起部１３０ｃを乗り越えることによって、導電パターン１２０ａから１２０ｂへの移動、つまり、撮影モードの変更時に、撮影者に対してクリック感を与えることができる。これらは、導電パターン１２０ｂと１２０ｃの間にある突起部１３０ｅおよび１３０ｆ、導電パターン１２０ａと１２０ｄの間にある突起部１３０ｄなど、各導電パターンの間に設けられた突起部についても同様の構成である。
【００２５】
また、後述する理由から、導電パターン１２０ａと突起部１３０ｃとの間、更には、導電パターン１２０ｂと突起部１３０ｃとの間には、所定の距離ｄが設けられる。ブラシ１１６の先端は半円形状であるが、その半円の直径は導電パターン間の隙間Ｄよりも小さいことが好ましい。
【００２６】
ブラシ１１６が各導電パターン上を摺動する際には、導電パターンやブラシ自体の削れによる摩耗粉が発生する。
【００２７】
本発明における構成によれば、ブラシ１１６が各導電パターン上、例えば、導電パターン１２０ａから１２０ｂに移動する際に発生する導電パターン１２０ａの摩耗粉が、突起部１３０ｃとの距離ｄの領域に収められ、また、ブラシ１１６に付着した摩耗粉は、ブラシ１１６が突起部１３０ｃを乗り越える際の衝撃により、導電パターン１２０ｂと突起部１３０ｃとの距離ｄの領域に収められる。
【００２８】
これにより、ブラシと導電パターンとの間に摩耗粉が挟まることによる導通不良や、あるいは接触の不安定によって導通状態が安定しないチャタリングの発生を防止でき、撮影モードの切り換えを検知することが可能である。
【００２９】
また、突起部１３０ｃの断面形状として、本実施例では半円形状としたが、図６（ａ）および（ｂ）に示すように、それぞれ断面形状を矩形や台形形状とすることで、撮影者に対して半円形状とは異なるクリック感を与えるようにしても良い。また特に、図６（ｂ）の場合においては、ブラシ１１６の回転方向については１方向として、１２０ｂから１２０ａに移動させる事で、ブラシ１１６が台形の斜面を摺動し、滑らかなクリック感を得ることができる。
【実施例２】
【００３０】
次に図７を用いて第２の実施例について説明する。第１の実施例とは、導電パターン１２０ａと突起部１３０ｃおよび、導電パターン１２０ｂと突起部１３０ｃとの間の距離ｄの領域についてのみ構成が異なる。
【００３１】
本実施例では、導電パターン１２０ａと突起部１３０ｃおよび、導電パターン１２０ｂと突起部１３０ｃとの間の距離ｄの領域を、各導電パターンよりも高さの低い凹形状としている。凹形状の深さＴは、導電パターンの厚みｔよりも大きくすることで、導電パターンとその摩耗粉が電気的にショートすることを防止できる。また、導電パターンの一側面が、凹部の一側面を形成することで、導電パターン間の距離Ｄをより小さくでき、結果的に電子機器の小型化に寄与することができる。
【００３２】
このようにして、導電パターン１２０ａから１２０ｂに移動する際に発生する導電パターン１２０ａの摩耗粉が凹形状部に収められ、前述同様、導通不良やチャタリングの発生を防止できる。
【００３３】
以上、本発明の好ましい実施形態について説明したが、本発明はこれらの実施形態に限定されず、その要旨の範囲内で種々の変形及び変更が可能である。
【符号の説明】
【００３４】
１１６  ブラシ、１２０ａ，１２０ｂ  導電パターン、１３０ｃ  突起部、
ｄ  導電パターンと突起部との距離、Ｄ  導電パターン間の隙間
【図１】
2017117545.tif 000003
【図２】
2017117545.tif 000004
【図３】
2017117545.tif 000005
【図４】
2017117545.tif 000006
【図５】
2017117545.tif 000007
【図６】
2017117545.tif 000008
【図７】
2017117545.tif 000009